(57)【要約】【課題】  新たなマスク部材を設けることなく、ファインダ内スーパーインポーズ表示を行うための光源からの不要な光線漏れを防ぎ、照明効率を落とすことなくコスト面、組立性でも有利なファインダ内表示装置。【解決手段】  ペンタプリズムホルダーと、ペンタプリズム押さえ板と、  カメラのファインダ光路内に配置され、  複数の表示セグメントを有する透過型液晶表示パネルと、  表示セグメントを照明させるための光源と、  前記光源から前記透過型液晶表示パネルまで光を導く導光部材を有し、  前記ペンタプリズム押さえ板は、前記光源の上に接するように配置され、前記光源からの光線が所望の方向以外への漏れを防ぐカメラのファインダ内表示装置。【選択図】  図４
2011039373.tif 000002
【特許請求の範囲】
【請求項１】
ファインダ内にスーパーインポーズ表示を行うカメラ（１）において、
ペンタプリズム（８）を保持するためのペンタプリズムホルダー（１８）と、
ペンタプリズム（８）を前記ペンタプリズムホルダー（１８）に固定するためのペンタプリズム押さえ板（１４）と、
カメラのファインダ光路内に配置され、
複数の表示セグメント（１３）を有する透過型液晶表示パネル（７）と、
前記透過型液晶表示パネル（７）に照射し表示セグメントを照明させるための光源（１０）と、
前記光源（１０）から前記透過型液晶表示パネル（７）まで光を導く導光部材（１１）を有し、
前記ペンタプリズム押さえ板（１４）は、前記光源（１０）の上に接するように配置され、前記光源（１０）からの光線が所望の方向以外への漏れを防ぐことを特徴とするカメラのファインダ内表示装置。
【請求項２】
請求項１に記載のファインダ内表示装置において、前記ペンタプリズム押さえ板（１４）は、ペンタプリズム（８）の位置決め調整用工具穴（２２）を設けていることを特徴とするファインダ内表示装置。
【発明の詳細な説明】
【技術分野】
【０００１】
本発明は、カメラのファインダ装置に関し、特にファインダ内表示装置に関するものである。
【背景技術】
【０００２】
透過型の液晶表示パネルを用いてファインダ内表示を行うカメラの表示装置が知られている。これらの表示装置は、透明基板に複数の表示用液晶セグメントを設けて成る表示パネルをファインダ光路内に有し、液晶セグメントを電気的に透過／拡散状態に切り替えることでファインダ画面内にスーパーインポーズ表示を行う。さらに、照明装置によってパネルの端面からセグメントを照明することで、被写界が暗いときでも表示が明確に認識できるようにしている。
【０００３】
例えば、特許文献１では矩形形状透明基板の短辺側の端面に導光部材を介し、ファインダ画面内にスーパーインポーズ表示を行う表示駆動装置が開示されている。
【先行技術文献】
【特許文献】
【０００４】
【特許文献１】特開２００５−３４５９６６号公報
【発明の概要】
【発明が解決しようとする課題】
【０００５】
しかしながら、上述の特許文献に開示された従来技術では、ペンタプリズムホルダーを上下に分け、上ペンタプリズムホルダーにてスーパーインポーズ表示を行うための光源を実装した回路基板を挟み込むことで、光源からの光線が所望の方向以外の向きに漏れることを防いでおり、また、ペンタプリズムを上ペンタプリズムホルダーに固定する際に、接着または別部材により固定する必要があるため、部品点数が多くなってしまい、コスト面、組立性において不利である。
【０００６】
そこで、本発明の目的は、スーパーインポーズ表示を行うための光源からの光線漏れを防ぎ、照明効率を落とすことなくコスト面、組立性でも有利なファインダ内表示装置の構成を提供することである。
【課題を解決するための手段】
【０００７】
ファインダ内にスーパーインポーズ表示を行うカメラ（１）において、
ペンタプリズム（８）を保持するためのペンタプリズムホルダー（１８）と、
ペンタプリズム（８）を前記ペンタプリズムホルダー（１８）に固定するためのペンタプリズム押さえ板（１４）と、
カメラのファインダ光路内に配置され、
複数の表示セグメント（１３）を有する透過型液晶表示パネル（７）と、
前記透過型液晶表示パネル（７）に照射し表示セグメントを照明させるための光源（１０）と、
前記光源（１０）から前記透過型液晶表示パネル（７）まで光を導く導光部材（１１）を有し、
前記ペンタプリズム押さえ板（１４）は、前記光源（１０）の上に接するように配置され、前記光源（１０）からの光線が所望の方向以外への漏れを防ぐことを特徴とするカメラのファインダ内表示装置。
【発明の効果】
【０００８】
本発明によれば、ペンタプリズム押さえ板がペンタプリズムの固定と、スーパーインポーズ表示を行うための光源からの不要な光線の漏れ出し防止を兼ねているため、新たにマスク部材を設けることなく、コスト、組立性に有利なファインダ内表示装置を提供することができる。
【図面の簡単な説明】
【０００９】
【図１】本発明の実施形態によるファインダ内表示装置を組み込んだ一眼レフカメラの構造を概念的に説明する図である。
【図２】本発明の実施形態によるファインダ内スーパーインポーズ表示を概念的に説明する図である。
【図３】本発明に使用されるペンタプリズム押さえ板単品の斜視図である。
【図４】本発明の実施形態によるファインダユニットの分解斜視図である。
【図５】本発明の実施形態によるファインダユニットの導光部材付近の拡大断面図である。
【発明を実施するための形態】
【００１０】
以下、添付図面を参照して本発明の好適な実施の形態を詳細に説明する。
【実施例１】
【００１１】
図１は本実施例にかかる一眼レフカメラの概略図である。２は撮影レンズで便宜上２枚のレンズで示したが、実際はさらに多数のレンズから構成されていることは周知の通りである。３は主ミラーで、観察状態と撮影状態に応じて撮影光路へ斜設されあるいは退去される。４はシャッタ、５は感光部材で、銀塩フィルムあるいはＣＣＤやＭＯＳ型等の固体撮像素子である。６は撮影レンズ２の予定結像面に配置されたピント板、７はピント板に近接して配置される透過型液晶表示パネル、８はファインダ光路変更用のベンタプリズムである。９はピント板６上に投影された像を観察する接眼レンズである。また、このカメラ１は、ファインダ内表示装置として、透過型液晶表示パネル７のほかに、LED等からなる光源１０と、光源１０からの光を透過型液晶表示パネル７の端面に導く導光部材１１と、透過型液晶表示パネル７を駆動する駆動回路１２とを備えている。
【００１２】
透過型液晶表示パネル７は、カメラの機能状態を示すための表示形状がパターン化されており、駆動回路１２により透過、拡散が制御される。光源１０から発せられ、導光部材１１を通り透過型液晶表示パネル７の端面に照射された光は、駆動回路１２により制御された表示パターンにより反射され、図２のように合焦点検出マーク等のスーパーインポーズ表示１３として撮影者の目に届く。
【００１３】
光源１０は、ファインダ内の被写体が暗い場合や合焦点検出位置の情報を表示する場合等に投光され、ファインダ内のスーパーインポーズ表示を撮影者がわかり易いようハイライトさせる。
【００１４】
図３は、本発明に使用されるペンタプリズム押さえ板単品の斜視図である。ペンタプリズム押さえ板１４は、ＳＵＳ等の金属製で、それぞれ４箇所のビス穴１５、１６を設けている。ビス穴１５は、後述する図４中のペンタプリズム８をビス１７によってペンタプリズムホルダー１８に締結するための穴であり、ペンタプリズム押さえ板１４は弾性部材１９を介してペンタプリズムダハ面８aに接し、ペンタプリズムホルダー１８にペンタプリズム８を固定する。ビス穴１６は、同形状の穴１８aが後述する図４のペンタプリズムホルダー１８にも設けられており、この穴を用いてビス２０によりファインダユニットを図示しないミラーボックスに締結するためのものである。またペンタプリズム押さえ板１４は、ファインダの視野ずれ調整を行うための調整工具用穴２２が設けられており、ビス２０によりファインダユニットを図示しないミラーボックスに締結する際に図示しない調整用工具によりペンタプリズムの位置調整を行う。
【００１５】
図４は、本発明の実施形態を示すファインダユニットの斜視図、図５は、本発明の実施形態を示すファインダユニットの導光部材１１近傍の断面図である。図４において、ペンタプリズムホルダー１８には、ペンタプリズム８の他にスーパーインポーズ表示用光源１０を実装した回路基板２１、導光部材１１、透過型液晶表示パネルユニット２３が保持される。
【００１６】
前記回路基板２１は、図５中のスーパーインポーズ表示用光源１０を実装したフレキシブルプリント基板であり、ペンタプリズムホルダー１８と勘合するための勘合穴２１aが設けられ、ペンタプリズムホルダー１８に保持される。また、前記回路基板２１は、図５に示すようにペンタプリズム押さえ板１４によってペンタプリズムホルダー１８と挟み込まれるように固定され、光源１０の光線が所望の方向以外に漏れることを防いでいる。
【００１７】
前記導光部材１１には、ペンタプリズムホルダー１８と圧接するための突起部１１aが設けられており、ペンタプリズムホルダー１８下部から押し込められるようにして保持される。また、前記導光部材１１は、液晶パネルホルダー２７が下部から取り付けられることによっても保持される。
【００１８】
透過型液晶パネルユニット２３には、透過型液晶パネル７、ピント板６が保持される。透過型液晶パネル７は、長辺側７aに駆動用端子を設けており、図示しない駆動回路１２と接続することで透過、拡散を制御し、短辺側７bから前記スーパーインポーズ表示用光源１０から前記導光部材１１を通して導かれた光によりセグメント１３を照明させファインダ内スーパーインポーズを行う。ピント板６は保持部材２５を介して着脱可能に組み込まれる。透過型液晶パネルユニット２３は、ペンタプリズムホルダー１８に取り付けられ、保持部材２６によりペンタプリズムホルダーに下から押さえつけられるように保持される。
【００１９】
以上、本発明の好ましい実施形態について説明したが、本発明はこれらの実施形態に限定されず、その要旨の範囲内で種々の変形及び変更が可能である。
【符号の説明】
【００２０】
１  カメラ
２  撮影レンズ
３  主ミラー
４  シャッタ
５  感光部材
６  ピント板
７  透過型液晶表示パネル
８  ペンタプリズム
９  接眼レンズ
１０  スーパーインポーズ表示用光源
１１  導光部材
１２  駆動回路
１３  スーパーインポーズ表示セグメント
１４  ペンタプリズム押さえ板
１８  ペンタプリズムホルダー
２１  回路基板
２３  透過型液晶表示パネルユニット
２７  液晶パネルホルダー
【図１】
2011039373.tif 000003
【図２】
2011039373.tif 000004
【図３】
2011039373.tif 000005
【図４】
2011039373.tif 000006
【図５】
2011039373.tif 000007